(57)【要約】【課題】空気清浄機から吹き出されるイオン濃度を十分に高めることができるイオン発生機を実現すること。【解決手段】イオン発生部（１５）は、一次側配線（４１）に入力された電圧を変圧して、放電電極に接続された二次側配線（４２）に出力するトランスと、上記二次側配線（４１）に接続され、上記一次側配線（４１）から上記トランスに入力される電圧を調整するためのコンデンサ（Ｃｖ）と、を備えている。【選択図】図４
2018106847.tif 000002
【特許請求の範囲】
【請求項１】
放電電極と当該放電電極に対向する対向電極との間に放電を生じさせることにより、イオンを発生させるイオン発生機であって、
一次側配線に入力された電圧を変圧して、上記放電電極に接続された二次側配線に出力する変圧器と、
上記一次側配線に接続され、当該一次側配線から上記変圧器に入力される電圧を調整するためのコンデンサと、を備え、
上記イオン発生機を設置した状態で、当該イオン発生機のイオン吹出し口近傍に存在する構造物と、上記放電電極との間の距離に応じて、上記コンデンサの容量値が設定されていることを特徴とするイオン発生機。
【請求項２】
上記一次側配線に抵抗が接続されていることを特徴とする請求項１に記載のイオン発生機。
【請求項３】
上記コンデンサの容量値に応じて、上記抵抗の抵抗値が設定されていることを特徴とする請求項２に記載のイオン発生機。
【請求項４】
空気の清浄化を行うためのイオンを発生するイオン発生機を備えたポータブル空気清浄機であって、
上記イオン発生機は、請求項１〜３の何れか１項に記載のイオン発生機であることを特徴とするポータブル空気清浄機。
【発明の詳細な説明】
【技術分野】
【０００１】
本発明は、イオン発生機およびポータブル空気清浄機に関する。
【背景技術】
【０００２】
室内の空気には、塵埃、花粉、タバコの煙、呼気等のように、人体に不快又は有毒とされる様々な物質が含まれており、これらの物質を除去して空気を浄化するために帯電粒子を発生させる空気清浄機が種々提案されている。
【０００３】
一般的に、帯電粒子を発生させる空気清浄機は、プラスイオンであるＨ＋（Ｈ２Ｏ）ｎ（ｎは自然数）及びマイナスイオンであるＯ２−（Ｈ２Ｏ）ｍ（ｍは自然数）を発生するイオン発生機を備え、吸い込んだ空気とともにイオンを吹き出し、空気中を浮遊するカビ及び細菌等を不活性化する。例えば特許文献１には、車輌用に改良した空気清浄機が記載されている。
【先行技術文献】
【特許文献】
【０００４】
【特許文献１】特開２０１３−１４１８８０号公報（２０１３年７月２２日公開）
【発明の概要】
【発明が解決しようとする課題】
【０００５】
しかしながら、車輌用に改良した空気清浄機のように、空気清浄機自体が小型の場合、当該空気清浄機内のイオン発生機の放電電極の周囲には当該空気清浄機を構成する様々な構造物が配置されている場合が多い。このように、放電電極の周囲に構造物がある場合、放電電極の電界が構造物によって阻害されるため、イオンの発生を十分に行えず、空気清浄機から吹き出されるイオン濃度を十分に高めることができないという問題が生じる。
【０００６】
本発明の一態様は、放電電極の周囲に構造物があっても、空気清浄機から吹き出されるイオン濃度を十分に高めることができるイオン発生機を実現することを目的とする。
【課題を解決するための手段】
【０００７】
上記の課題を解決するために、本発明の一態様に係るイオン発生機は、放電電極と当該放電電極に対向する対向電極との間に放電を生じさせることにより、イオンを発生させるイオン発生機であって、一次側配線に入力された電圧を変圧して、上記放電電極に接続された二次側配線に出力する変圧器と、上記一次側配線に接続され、当該一次側配線から上記変圧器に入力される電圧を調整するためのコンデンサと、を備え、上記イオン発生機を設置した状態で、当該イオン発生機のイオン吹出し口近傍に存在する構造物と、上記放電電極との間の距離に応じて、上記コンデンサの容量値が設定されていることを特徴としている。
【発明の効果】
【０００８】
本発明の一態様によれば、放電電極の周囲に構造物があっても、空気清浄機から吹き出されるイオン濃度を十分に高めることができるという効果を奏する。
【図面の簡単な説明】
【０００９】
【図１】本発明の一実施の形態に係るポータブル空気清浄機を車内のドリンクホルダーに収容した状態を示す斜視図である。
【図２】上記空気清浄機の外観構成を示す斜視図である。
【図３】図２に示す空気清浄機の内部構造を示す図であり、空気清浄機の中心を通り、空気清浄機を左右に分断する平面で切った縦断面図である。
【図４】図１に示すポータブル空気清浄機のイオン発生部の回路図である。
【図５】図４に示すイオン発生部の放電部における電界分布を示す図である。
【図６】イオン発生機単品のイオン濃度と、イオン発生機の吹出口のイオン濃度との関係を示すグラフである。
【図７】図６に示すグラフを構成する単品イオン濃度、吹出口イオン濃度と、コンデンサ容量、抵抗値との関係を示す表である。
【図８】本発明の他の実施の形態に係るポータブル空気清浄機のイオン発生部の回路図である。
【図９】本発明のさらに他の実施の形態に係るポータブル空気清浄機を室内の天井に設置する電灯に搭載した状態を示す斜視図である。
【図１０】上記空気清浄機の外観構成を示す斜視図である。
【図１１】図１０に示す空気清浄機の内部構造を示す図であり、空気清浄機の中心を通り、空気清浄機を左右に分断する平面で切った縦断面図である。
【発明を実施するための形態】
【００１０】
〔実施形態１〕
以下、本発明の実施の形態について、詳細に説明する。本実施形態では、本発明のイオン発生機を、室内の空気を清浄化するポータブル空気清浄機に搭載した例について説明する。
【００１１】
（車載搭載用のポータブル空気清浄機）
図１は、本実施形態の車載搭載用のポータブル空気清浄機（以下、空気清浄機）１００を自動車内のドリンクホルダー６０に収容した状態を示す斜視図である。空気清浄機１００は、空気浄化作用を有する活性種（あるいは該活性種を生成するイオン）を含んだ空気を供給して車内の空気を浄化する。なお、本実施形態では、ドリンクホルダー６０に設置可能な車載用空気清浄機を例示するが、持ち運んで使用できるポータブル空気清浄機であればよく、さらに言うと、空気清浄機を両手で持ち上げて後述する外観カバーを交換し得る程度の大きさ重さを有する空気清浄機であればよい。
【００１２】
図１に示すように、空気清浄機１００は、ドリンクホルダー６０に取り外し可能に設置され、少なくとも下部１ｂ（図２参照）が、ドリンクホルダー６０に嵌る形状、ここでは円柱形状に形成されている。
【００１３】
なお、図１の例では、運転者から見て斜め前方に取り付けられているドリンクホルダー６０に設置した状態を例示しているが、運転席と助手席との間のラゲッジスペースに設けられたドリンクホルダーや、後部座席用に設けられたドリンクホルダーなどに設置することもできる。また、ドリンクホルダーも、最初から車に標準装備されたものに限らず、市販店にて購入できる後付けタイプのものであってもよい。
【００１４】
空気清浄機１００への給電は、図１に示すように、シガーソケット６１から行う構成としてよいし、ＵＳＢポートを有する自動車であれば、ＵＳＢポートから行う構成としてもよい。その他、電池やバッテリーを搭載させてもよい。以下、空気清浄機１００の詳細な構成について説明する。
【００１５】
図２は、空気清浄機１００の外観を示す斜視図である。図２に示すように、空気清浄機１００の下部１ｂは、ドリンクホルダー６０（図１参照）に嵌る円柱形状に形成されている。ドリンクホルダー６０から突き出る空気清浄機１００の上部１ａは、下部１ｂと滑らかに繋がると共に上方に向かってやや広がる円柱形状に形成され、外周面の正面（空気清浄機１００の正面）に、エンブレム３が貼り付けられている。
【００１６】
空気清浄機１００の天面１ｃは、背面側から正面側（エンブレム３のある側）に向かって低くなるように傾斜しており、正面寄りに、イオン吹出口（空気吹出口）１２を塞ぐ三日月型の開閉蓋１１が設けられている。また、天面１ｃには、空気清浄機１００の運転モードの切り換え指示を受け付けたり、運転状態を点灯状態で表示したりする操作表示部２５も設けられている。
【００１７】
なお、図２では、空気清浄機１００の上部１ａおよび下部１ｂの形状を何れも円柱形状としたが、これに限るものではない。上部１ａについては、三角柱形状や四角柱形状、球形状など、どのような形状であってもよい。下部１ｂについては、安定性から言って円柱形状が最も望ましいが、ドリンクホルダー６０に嵌る形状であれば、例えば直方体形状などであってもよい。
【００１８】
このような空気清浄機１００は、単独で空気清浄機として使用できる機器本体１０を備え、該機器本体１０に、着脱自在に設けられた外観カバー（外側カバー）３０が装着されている。外観カバー３０は、空気清浄機１００の外観を決定するものである。本実施形態では、外観カバー３０は、空気清浄機１００の上部１ａに配置される上部カバー（分割されたカバー）３１と、空気清浄機１００の下部１ｂに配置される下部カバー（分割されたカバー）３２とに分割されている。
【００１９】
図３は、空気清浄機１００の内部構造を示す図であり、空気清浄機１００の中心を通り、空気清浄機１００を左右に分断する平面で切った縦断面図である。図３に示すように、空気清浄機１００における機器本体１０内部には、送風機（送風部）１６、風路１７、ダクト１９、イオン発生部１５、イオンセンサ１８、基板（図示せず）などが配設されている。
【００２０】
風路１７は、機器本体１０の下部１０ｂ（内部支持体１３下部）に形成された空気吸込口１４と、イオン吹出口１２とを連通するものである。送風機１６、イオン発生部（イオン発生機）１５、イオンセンサ１８は、風路１７に配設されており、風の流れる方向に沿って、送風機１６、イオン発生部１５、イオンセンサ１８の順に配置されている。
【００２１】
送風機１６は、ケーシング部１６ａと、このケーシング部１６ａに固定されたモータ１６ｂと、このモータ１６ｂによって回転するファン１６ｃとを備えている。送風機１６は、ファン１６ｃを回転させることで、空気吸込口３３、３４を介して外部の空気を吸い込み、ダクト１９に送り込む。ここで、送風機１６は、空気の出口が背面寄りに位置するように設置されている。
【００２２】
ダクト１９は、風路１７の一部を構成するものであり、送風機１６の出口とイオン吹出口１２とを連通する。本実施形態では、ダクト１９は、送風機１６の出口側で緩やかに曲げられており、送風機１６の出口からイオン吹出口１２に向かうにつれて正面側へと傾斜している。
【００２３】
イオン発生部１５は、放電部１５ａを備え、放電により放電部１５ａから、空気浄化作用を有する活性種を生成する、正イオンと負イオンの一方または両方を発生させるものである。イオン発生部１５は、放電部１５ａが風路１７（ダクト１９）に面して配設され、発生させたイオンは、風路１７（ダクト１９）を流れる風に乗ってイオン吹出口１２からイオン風として放出される。
【００２４】
イオンセンサ１８は、センシング部１８ａにて風路１７（ダクト１９）を流れる空気に含まれるイオン（イオン発生部１５から発生されたイオン）を検出して、イオン発生部１５からのイオンの発生を確認するものである。イオンセンサ１８は、センシング部１８ａが風路１７（ダクト１９）に面して配設される。
【００２５】
基板は、空気清浄機１００を制御するもので、操作表示部２５、開閉蓋１１、送風機１６、イオン発生部１５、およびイオンセンサ１８などの動作を制御するものである。
【００２６】
イオン吹出口１２を覆う開閉蓋１１は、開いた状態でダクト１９の延長線上の傾斜を有しており、ルーバーとして機能する。また、上部カバー３１に設けられたすり鉢状の上円環部３１ａの正面側内周面３１ａ’も、ダクト１９の延長線上の傾斜を有している。これら開閉蓋１１および正面側内周面３１ａ’により、イオン吹出口１２から吹き出された風は、進行方向を保持し、空気清浄機１００の正面斜め上方へとイオン風を吹出す。
【００２７】
（イオン発生部１５）
図４は、イオン発生部１５の概略を示す回路図である。イオン発生部１５は、図４に示すように、交流電圧を供給する側（入力側）に電源Ｖｃｃ（交流電源）が設けられ、交流電圧が供給される側（出力側）にトランス（変圧器）および放電部１５ａが設けられている。トランスは、一次側配線４１に印加された電圧を変圧して二次側配線４２に出力する。二次側配線４２には、放電部１５ａを構成する放電電極（プラスの電極針、マイナスの電極針）および対向電極が接続されている。なお、本実施形態のトランスは、入力された電圧をより高い電圧に変換する昇圧トランスである。すなわち、トランスは、昇圧した電圧を、二次側配線４２を介して放電部１５ａに出力する。これにより、放電部１５ａの放電電極と当該放電電極に対向する対向電極との間に放電を生じさせることにより、プラスイオンおよびマイナスイオンを発生させる。
【００２８】
また、一次側配線４１には、トランスと並列に、且つ、当該トランスよりも下流側にコンデンサＣｖが接続されている。コンデンサＣｖは、上記トランスに入力される電圧を調整するためのものである。つまり、コンデンサＣｖに蓄積された電荷をトランスに入力する。従って、コンデンサＣｖの容量値を変更することで、トランスに入力される電荷量（電圧）が変更される。これにより、放電部１５ａの放電電極に印加される電圧も、コンデンサＣｖの容量値により変更されることになる。
【００２９】
図５は、イオン発生用の電極針における電界分布を示す図である。図５に示すように、電気力線（実線）は、放電電圧が低い場合を示し、電界は構造物の影響を受けない。構造物が無い場合とイオンの発生量は同じである。これに対して、電気力線（点線）は、放電電圧が高い場合を示し、電界は構造物にぶつかり、正常な放電が阻害される。構造物が無い場合よりイオンの発生量が少なくなる。このような場合には、放電電圧を下げて電気力線が構造物によって阻害されないようにする。
【００３０】
従って、本実施形態では、コンデンサＣｖの容量値を小さくすることで、トランスに入力する電圧を低くして、電極針に印加される電圧、すなわち放電電圧を下げる。ここで、コンデンサＣｖの容量値は、放電部１５ａによって生じる電気力線が、構造部によって阻害されない電気力線であって、イオンを発生し得る大きさの電気力線となるような値に設定するのが好ましい。さらに、上記条件において最大の電気力線となるような値に、コンデンサＣｖの容量値を設定するのが好ましい。
【００３１】
図６は、イオン発生機単品のイオン濃度と、イオン発生機の吹出口のイオン濃度との関係を示すグラフである。ここで、横軸は、電極針への印加電圧と放電回数を調整して作製したイオン濃度を示し、縦軸は、イオン発生機吹出口の各イオン濃度は、電極針への印加電圧と放電回数を調整する前のイオン発生装置(単品イオン濃度１００％)を組み込んだ時の、イオン発生機吹出口イオン濃度を基準(１００％)とした値を示す。
【００３２】
図７は、図６に示すグラフを構成する単品イオン濃度、吹出口イオン濃度と、コンデンサ容量、抵抗値との関係を示す表である。図７に示す表示では、単品イオン濃度が１００％、吹出口イオン濃度が１００％、コンデンサＣｖの容量値が０．１００μＦ、一次側配線４１の抵抗（後述する実施形態２）の抵抗値が０を、基準品として、この基準品から単品イオン濃度、コンデンサＣｖの容量値を下げたときの吹出口イオン濃度の変化を示している。
【００３３】
例えば、イオン発生機単品のイオン濃度が７４％のとき、すなわちイオン濃度が７４％となる放電電圧、コンデンサＣｖの容量値を０．０３３μＦのとき、空気清浄機１００の吹出口のイオン濃度が１１５％となる。この条件のときが、吹出口イオン濃度が最大となる。
【００３４】
従って、イオン発生部１５のイオン吹出し口近傍、すなわち放電部１５ａの近傍に構造物が存在し、当該放電部１５ａにて発生する電界が当該構造物によって阻害され、イオン吹出し口から吹き出されるイオンの濃度が低下する場合には、コンデンサＣｖの容量値を下げることで、放電電極に印加される電圧を下げて、電界が構造物によって阻害されないようにする。これにより、イオン吹出し口から吹き出されるイオン濃度の低下を抑制することを可能としている。
【００３５】
コンデンサＣｖの容量値は、上記イオン発生部１５を設置した状態で、当該イオン発生部１５のイオン吹出し口近傍に存在する構造物と、放電部１５ａとの間の距離に応じて、設定されることが好ましい。例えば、コンデンサＣｖの容量値は、放電部１５ａによって生じる電気力線が、構造部によって阻害されない電気力線であって、イオンを発生し得る大きさの電気力線となるような値に設定する。この条件において、イオンを発生し得る電気力線を、構造物と放電部１５ａとの間の距離が近ければ小さくし、距離が遠ければ大きくすればよく、コンデンサＣｖの容量値も必要とされる電気力線の大きさに応じて設定すればよい。こにより、電電極による電界が構造物によって確実に阻害されないようにすることができる。
【００３６】
以上のように、上記構成のイオン発生部１５は、内部空間の狭い上記構成の空気清浄機１００に搭載されていても、放電電圧を上げることなく、吹き出されるイオン濃度の低下を抑制できるという効果を奏する。
【００３７】
ところで、上述のように、放電部１５ａへの放電電圧を下げるために、コンデンサＣｖの容量値を下げると、放電回数増える。放電回数が増えると、放電音が大きくなり、消費電力も増えるという問題が生じる。以下の実施形態２では、これらの問題を解決する例について説明する。
【００３８】
〔実施形態２〕
本発明の他の実施形態について説明すれば、以下のとおりである。なお、説明の便宜上、前記実施形態１にて説明した部材と同じ機能を有する部材については、同じ符号を付記し、その説明を省略する。
【００３９】
図８は、イオン発生部５０の概略を示す回路図である。図８に示すイオン発生部５０は、図４に示すイオン発生部１５と、トランスに印加する電圧の入力側に抵抗Ｒｖが設けられている点で異なり、出力側の構成は同じである。
【００４０】
抵抗Ｒｖは、放電部５０ａの放電回数を調整するためのものである。すなわち、入力側に抵抗Ｒｖが接続されていることで、出力側に供給される電流値を小さくできる。これにより、一次側配線５１に接続されたコンデンサＣｖに印加される電圧値も小さくなるので、当該コンデンサＣｖに電荷が蓄積される時間が長くなる。従って、ニ次側配線５２に接続された放電部５０ａの放電回数を減らすことが可能となる。
【００４１】
前記実施形態１で用いた図７に示す表によれば、コンデンサＣｖの容量値が小さくなればなる程、抵抗Ｒｖの抵抗値を大きくすることになる。すなわち、抵抗Ｒｖの抵抗値は、コンデンサの容量値に応じて設定される。例えば、抵抗Ｒｖの抵抗値は、構造物がある条件で、発生するイオンが飽和するような放電頻度以下に、放電頻度を決める抵抗値に設定する。
【００４２】
以上のように、イオン発生部５０において、コンデンサＣｖの容量値に応じて、入力側に抵抗Ｒｖを設けることで、コンデンサＣｖの容量値が低下することにより増加する放電部５０ａの放電回数を低減させることが可能となる。これにより、放電回数の増加によって大きくなった騒音および消費電力を低減することができる。
【００４３】
なお、前記実施形態１，２では、イオン発生部１５，５０を車載用のポータブル空気清浄機に搭載した例について説明したが、本発明はこれに限定されるものはなく、イオン発生部を搭載する内部が狭い空間の空気清浄機に広く適用することができる。以下の実施形態３では、ＬＥＤライトに空気清浄機を搭載した例について説明する。
【００４４】
〔実施形態３〕
本発明の他の実施形態について説明すれば、以下のとおりである。なお、説明の便宜上、前記実施形態１，２にて説明した部材と同じ機能を有する部材については、同じ符号を付記し、その説明を省略する。
【００４５】
（室内天井取付用のポータブル空気清浄機）
図９は、本実施形態の室内天井取付用のポータブル空気清浄機（以下、空気清浄機）２００を室内の天井に設置した状態を示す斜視図である。空気清浄機２００は、前記実施形態１で説明した空気清浄機１００と同じ機能を有している。
【００４６】
図１０は空気清浄機２００の外見を示す斜視図である。空気清浄機２００は、後述するイオン発生部（イオン発生機）２０７（図１１）が収容されている本体２０１と、本体２０１を着脱可能に保持するアダプタ２０２と、照明部２０５とを備えている。
【００４７】
図１１は図１０のＡ−Ａ線によるアダプタ２０２を除く部分断面図である。
【００４８】
アダプタ２０２は円錐状をなしており、突出先の一端には口金２０３が設けられている。口金２０３を介して、空気清浄機２００を、例えば、室内の天井、壁等に設けられたソケットにはめ込んで設定することが可能である。また、アダプタ２０２の他端には上述したように、本体２０１が取り付けられる。
【００４９】
本体２０１は、アダプタ２０２に向けて縮径する円筒状のケース２１１を備えており、ケース２１１にはイオン発生部２０７と、イオン発生部２０７の電極に向けて空気（以下、風ともいう。）を送る送風素子２１２とが収容されている。
【００５０】
また、ケース２１１は、アダプタ２０２側の一端部に、送風素子２１２に吸い込まれる空気が通る格子状の吸込口２０４が取外し可能に周設されている。また、吸込口２０４にはフィルター２４１が張設されている。更に、ケース２１１の他端部には照明部２０５が設けられている。
【００５１】
送風素子２１２は略円筒状をなしており、周方向外側に吹出口２１３が延設されている。送風素子２１２は吸込口２０４を介して外部の空気を吸い込み、吹出口２１３を介してイオン発生部２０７側に吹き出す。詳しくは、送風素子２１２は、イオン発生部２０７の離隔した２つの電極における離隔の方向との交差方向に風を送る。
【００５２】
吹出口２１３は矩形であり、吹出口２１３から吹き出される風の下流側にはイオン発生部２０７が配設されている。
【００５３】
イオン発生部２０７は略扁平な六面体の筐体２７３を有しており、吹出口２１３からの風の流れ方向に対して略直交する方向に離隔された２つの電極２７１を筐体２７３の一面に有している（以下、説明の便宜上、風の流れに沿う方向、すなわち前記交差方向を上下方向とも言う。）。２つの電極２７１間の中間位置と、吹出口２１３の中心とは前記上下方向において整合するように配設されている。
【００５４】
また、イオン発生部２０７では２つの電極２７１が所定の間隔をあけて前記一面から突設されており、一方が放電電極であり、他方が誘導電極である。前記上下方向において、２つの電極２７１の上側及び下側には、電極２７１，２７１を保護する、格子状のガイド２７２が夫々設けられている。
【００５５】
更に、イオン発生部２０７は筐体２７３の中に各電極２７１に高電圧を印加する高電圧発生回路（前記実施形態１，２の図４や図８に示す回路）を有している。電極２７１に高電圧が印加されると、一方の電極２７１（放電電極）から正イオンが発生し、他方の電極２７１（放電電極）から負イオンが発生する。このように、発生した正イオン及び負イオンは、送風素子２１２からの風によって、本体２０１のケース２１１の他端部に設けられたイオン放出口２０８を介して、空気清浄機２００の外側に放出される。
【００５６】
本体２０１のケース２１１の他端部には、照明部２０５が周設されている。また、照明部２０５の中央部にはイオン放出口２０８が形成されている。
【００５７】
照明部２０５は、ケース２１１の内側に、ケース２１１の周方向に沿って配列された複数のＬＥＤ２５１，…，２５１を有しており、各ＬＥＤ２５１は光を発する発光部がケース２１１の外側に面するように設けられている。また、これらＬＥＤ２５１，…，２５１は透明又は半透明の環状のカバー２５２によって覆われている。カバー２５２はケース２１１と略等しい外径を有する。カバー２５２の内周縁には、照明部２０５からの光を下方向に反射する反射部２５３が周設されている。
【００５８】
送風素子２１２（吹出口２１３）、イオン発生部２０７（電極２７１）、及び、イオン放出口２０８は上下方向に並設されており、吹出口２１３から吹き出された風は電極２７１及びイオン放出口２０８を経て空気清浄機２００の外側に送風される。イオン発生部２０７の前記一面との対向側には、電極２７１，２７１を囲うように囲い壁２１５が設けられており、囲い壁２１５と、イオン発生部２０７の前記一面と、イオン放出口２０８とが吹出口２１３からの風が移動する風路を構成し、該風路のなかに、電極２７１，２７１が配置されている。
【００５９】
（イオン発生部２０７）
イオン発生部２０７は、前記実施形態１，２のイオン発生部１５（図４）、イオン発生部５０（図８）と同じ構成である。
【００６０】
従って、上記のように、イオン発生部２０７の放電部である電極２７１，２７１の周囲に構造物（囲い壁２１５）を存在していても、前記実施形態１，２と同様に、コンデンサＣｖの容量値を下げたり、コンデンサＣｖの容量値を下げ、且つ抵抗Ｒｖを設けたりすることで、前記実施形態１，２と同様の効果を奏する。
【００６１】
〔まとめ〕
本発明の態様１に係るイオン発生機は、放電電極と当該放電電極に対向する対向電極との間に放電を生じさせることにより、イオンを発生させるイオン発生機（イオン発生部１５，５０，２０７）であって、一次側配線（４１，５１）に入力された電圧を変圧して、上記放電電極に接続された二次側配線（４２，５２）に出力する変圧器（トランス）と、上記一次側配線（４１，５１）に接続され、当該一次側配線（４１，５１）から上記変圧器（トランス）に入力される電圧を調整するためのコンデンサＣｖと、を備え、上記イオン発生機（イオン発生部１５，５０，２０７）を設置した状態で、当該イオン発生機（イオン発生部１５，５０，２０７）のイオン吹出し口近傍に存在する構造物と、上記放電電極との間の距離に応じて、上記コンデンサＣｖの容量値が設定されている。
【００６２】
上記の構成によれば、一次側配線に接続され、一次側配線から上記変圧器に入力される電圧を調整するためのコンデンサを備えていることで、当該コンデンサの容量値を変更することで、変圧器に入力される電圧を変更することができる。これにより、変圧器から放電電極に印加される電圧も変更されるので、コンデンサの容量値を調整することで、放電電極に印加される電圧も調整することが可能となる。
【００６３】
また、上記イオン発生機を設置した状態で、当該イオン発生機のイオン吹出し口近傍に存在する構造物と、上記放電電極との間の距離に応じて、上記コンデンサＣｖの容量値が設定されていることで、放電電極による電界が構造物によって確実に阻害されないようにすることができる。
【００６４】
従って、イオン発生機のイオン吹出し口近傍、すなわち放電電極の近傍に構造物が存在し、当該放電電極にて発生する電界が当該構造物によって阻害され、イオン吹出し口から吹き出されるイオンの濃度が低下する場合には、コンデンサの容量値を下げることで、放電電極に印加される電圧を下げて、電界が構造物によって阻害されないようにする。これにより、イオン吹出し口から吹き出されるイオン濃度の低下を抑制することが可能となる。つまり、放電電極の周囲に構造物があっても、イオン発生機から吹き出されるイオン濃度を十分に高めることができるという効果を奏する。
【００６５】
本発明の態様２に係るイオン発生機は、上記態様１において、上記変圧器への電圧の入力側に抵抗が接続されていることが好ましい。
【００６６】
上記構成によれば、変圧器への電圧の入力側に抵抗が接続されていることで、一次側配線に流れる電流値を小さくできる。これにより、一次側配線に接続されたコンデンサに印加される電圧値も小さくなるので、当該コンデンサに電荷が蓄積される時間が長くなる。従って、二次側配線に接続された放電電極による放電回数を減らすことが可能となる。
【００６７】
本発明の態様３に係るイオン発生機は、上記態様２において、上記コンデンサＣｖの容量値に応じて、上記抵抗の抵抗値が設定されていることが好ましい。
【００６８】
本発明の態様４に係るポータブル空気清浄機は、空気の清浄化を行うためのイオンを発生するイオン発生機を備えたポータブル空気清浄機であって、上記イオン発生機は、上記態様１〜３の何れか１態様に記載のイオン発生機である。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７０】
１２  イオン吹出口
１４  空気吸込口
１５  イオン発生部（イオン発生機）
１５ａ  放電部（放電電極）
４１  一次側配線
４２  二次側配線
５０  イオン発生部（イオン発生機）
５０ａ  放電部（放電電極）
５１  一次側配線
５２  二次側配線
１００  空気清浄機
２００  空気清浄機
２０５  照明部
２０７  イオン発生部（イオン発生機）
２０８  イオン放出口
２７１  電極（放電電極）
２７３  筐体
Ｃｖ  コンデンサ
Ｒｖ  抵抗
【図１】
2018106847.tif 000003
【図２】
2018106847.tif 000004
【図３】
2018106847.tif 000005
【図４】
2018106847.tif 000006
【図５】
2018106847.tif 000007
【図６】
2018106847.tif 000008
【図７】
2018106847.tif 000009
【図８】
2018106847.tif 000010
【図９】
2018106847.tif 000011
【図１０】
2018106847.tif 000012
【図１１】
2018106847.tif 000013